(57)【要約】【課題】  安価で衛生的且つ容易に座薬を挿入すること。【解決手段】  座薬Ｍを抱嵌支承する穿孔７を設けた挿入具本体５からなり、該挿入具本体５の中心部長手方向に押し込み棒６を挿入するための長孔８を上記穿孔７に連通して設け、前記押し込み棒６が、棒本体６ａの両端に球状脱脂綿６ｂを取り付けた綿棒からなり、前記長孔８の押し込み棒挿入口８ａの近傍に、該長孔８の口径ｄ２よりも小径で前記押し込み棒６の棒本体６ａの外径ｄ３と同一またはわずかに大きい口径ｄ１の小径部８ｂが形成されている。【選択図】図１
2010005356.tif 000002
【特許請求の範囲】
【請求項１】
座薬を抱嵌支承する穿孔を設けた挿入具本体からなり、該挿入具本体の中心部長手方向に押し込み棒を挿入するための長孔を上記穿孔に連通して設けたことを特徴とする座薬挿入具。
【請求項２】
前記長孔の押し込み棒挿入口の近傍に、該長孔の口径よりも小径で前記押し込み棒の外径と同一またはわずかに大きい口径の小径部が形成されていることを特徴とする請求項１に記載の座薬挿入具。
【請求項３】
前記挿入具本体の外周面に周方向所定間隔をおいて複数の滑り止め用凹溝が形成されていることを特徴とする請求項１または２に記載の座薬挿入具。
【請求項４】
前記押し込み棒が、棒本体の両端に球状脱脂綿を取り付けた綿棒からなることを特徴とする請求項１〜３のいずれかに記載の座薬挿入具。
【発明の詳細な説明】
【技術分野】
【０００１】  本発明は、例えば腰痛や腹痛及び熱冷ましなどに用いる座薬を肛門に挿入するための座薬挿入具に関し、特に、安価で衛生的且つ容易に座薬を挿入することができるようにしたものである。
【背景技術】
【０００２】  従来、図９（ａ）の座薬密封状態説明図に示すように、一般的に市販されている座薬Ｍは、頭部径大で下部小径の砲弾型に形成されており、薄アルミシートなどからなる密封袋Ｐ内に封入されており、使用時には、指部で密封袋Ｐを破断して座薬Ｍを取出し、図９（ｂ）の説明図に示すように、その座薬Ｍを指部で肛門に挿入する。【０００３】  上記構成では、座薬Ｍを指部で肛門内に比較的強く押し込んだとしても、その肛門の括約筋による収縮圧で座薬Ｍが押し戻されることがあり、その座薬Ｍの挿入に手間がかかって面倒であると共に、指部が肛門に直接触れることから、非衛生的である。【０００４】  上記問題点を解消する技術の一つとして特許文献１に記載した座薬挿入具がある。これは、図１０（ａ）の縦断面図に示すように、２枚のプラスチックシート１間の空間１ａに挿入具本体２を収納すると共に、該空間１ａの座薬貯め部から挿入具本体３の先端にかけて溶融状態の座薬Ｍを注入し、その座薬Ｍを冷却固化させた後、プランジャー３を挿入具本体２内に差し込み、両プラスチックシート１を互いに熱溶着させて密封する。【０００５】  座薬Ｍの挿入手順を図１０（ｂ）の説明図に基づいて説明すると、両プラスチックシート１を引き剥がして開封し〔図１０（ａ）仮想線参照〕、挿入具本体２の把手部２ａを把持して座薬Ｍの頭部を肛門に当てがい、プランジャー３を押して、その座薬Ｍを肛門に挿入する。
【特許文献１】  特開平５−２６１１５７号公報
【発明の開示】
【発明が解決しようとする課題】
【０００６】  特許文献１に記載の座薬挿入具では、肛門に指部が触れないから、衛生的である。しかし、２枚のプラスチックシート１、挿入具本体２及びプランジャー３からなり、構造が複雑で部品点数が多いから、製作費が高くつく。特に、図９（ａ）に示すような一般的に市販されている座薬Ｍを挿入するのには適さない。【０００７】  本発明は、上記従来の欠点に鑑み、安価で衛生的且つ容易に座薬を挿入することができるようにした座薬挿入具を提供することを目的としている。
【課題を解決するための手段】
【０００８】  上記目的を達成するための構成を実施の形態に対応する図面に基づいて説明すると、請求項１に記載の発明は、座薬Ｍを抱嵌支承する穿孔７を設けた挿入具本体５からなり、該挿入具本体５の中心部長手方向に押し込み棒６を挿入するための長孔８を上記穿孔７に連通して設けたことを特徴としている。【０００９】  請求項２に記載の発明は、請求項１に記載の発明において、前記長孔８の押し込み棒挿入口８ａの近傍に、該長孔８の口径ｄ２よりも小径で前記押し込み棒６の外径ｄ３と同一またはわずかに大きい口径ｄ１の小径部８ｂが形成されていることを特徴としている。【００１０】  請求項３に記載の発明は、請求項１または２に記載の発明において、前記挿入具本体５の外周面に周方向所定間隔をおいて複数の滑り止め用凹溝１０が形成されていることを特徴としている。【００１１】  請求項４に記載の発明は、請求項１〜３のいずれかに記載の発明において、前記押し込み棒６が、棒本体６ａの両端に球状脱脂綿６ｂを取り付けた綿棒からなることを特徴としている。
【発明の効果】
【００１２】  請求項１に記載の発明によれば、挿入具本体５の穿孔７に抱嵌支承させた座薬Ｍの頭部を肛門に当てがい、該挿入具本体５の長孔８を通って穿孔７内に押し込み棒６を押し込むだけで、座薬Ｍを肛門に所望通り容易に挿入することができ、しかも、肛門に指部が触れないので、衛生的である。【００１３】  また、挿入具本体５と押し込み棒６とからなり、構造が簡単で部品点数が少ないから、製作費が安くつく。【００１４】  特に、１錠ずつ密封袋Ｐに封入されている市販の座薬Ｍを挿入するのに適している。【００１５】  請求項２に記載の発明によれば、座薬Ｍを肛門に挿入した後、挿入具本体５を肛門から離間させると、押し込み棒６の後端部が長孔８の小径部８ｂに引っ掛かって、その押し込み棒６も挿入具本体５と一体的に肛門から離間させることができる。【００１６】  請求項３に記載の発明によれば、挿入具本体５の外周面に形成した複数の滑り止め用凹溝１０により、該挿入具本体５を滑らないように確実に把持することができると共に、その挿入具本体５が軽量化及び減量化されているので、使いやすくて経済的である。【００１７】  請求項４に記載の発明によれば、押し込み棒６として一般的に市販されている綿棒を利用しており、その綿棒が安価で使い捨てされるものであるから、経済的であると共に、衛生的である。
【発明を実施するための最良の形態】
【００１８】  図１〜図７は本発明の実施の一形態である座薬挿入具を示すものであって、図１は同分解斜視図、図２は同分解縦断面図、図３は図２のＡ−Ａ矢視図、図４は図２のＢ−Ｂ矢視図、図５は図２のＣ−Ｃ矢視図、図６は図２のＤ−Ｄ矢視図、図７（ａ）は同座薬挿入手順の前段を説明する縦断面図、図７（ｂ）は同手順の後段を説明する縦断面図である。【００１９】  図１及び図２に示すように、本発明の座薬挿入具は、挿入具本体５と押し込み棒６とを有し、その押し込み棒６は、棒本体６ａの両端に球状脱脂綿６ｂを取り付けた綿棒からなっている。【００２０】  図１〜図６に示すように、前記挿入具本体５は、硬質合成樹脂材により成形されており、その挿入具本体５の前端面５ａに砲弾型座薬Ｍの下部を抱嵌支承するための奥すぼまりテーパ状穿孔７が設けられると共に、挿入具本体５の後端面５ｂから該挿入具本体５の中心部をその長手方向に沿って貫通して前記穿孔７の奥端に連通する長孔８が設けられている。【００２１】  前記長孔８の後部に、後端面５ｂに開口する奥すぼまりテーパ状の押し込み棒挿入口８ａと、該押し込み棒挿入口８ａの奥端に連通する小径部８ｂとが形成され、その小径部８ｂの口径ｄ１は、長孔８の口径ｄ２よりも小径で押し込み棒６の棒本体６ａの外径ｄ３と同一またはわずかに大きく設定されている。具体的寸法の一例を示すと、棒本体６ａの外径ｄ３が２．２ｍｍ、小径部８ｂの外径ｄ１が２．４ｍｍ、長孔８の外径ｄ２が４．０ｍｍである。【００２２】  座薬Ｍの挿入手順を説明すると、図７（ａ）に示すように、押し込み棒６の一方の球状脱脂綿６ｂを挿入具本体５の押し込み棒挿入口８ａから小径部８ｂを通って長孔８に挿入し、穿孔７に座薬Ｍの下部を差し込んで、その座薬Ｍを穿孔７に抱嵌支承させる。【００２３】  続いて、図７（ｂ）に示すように、挿入具本体５を指部で把持して座薬Ｍの頭部を肛門に当てがい、押し込み棒６を穿孔７内に押し込んで、座薬Ｍを肛門に挿入する。【００２４】  その後、挿入具本体５を肛門から離間させることにより、押し込み棒６もその挿入具本体５と一体的に肛門から離間させる。ここで、肛門の括約筋により押し込み棒６の先端部側の球状脱脂綿６ｂがつかまれても、その押し込み棒６の後端部側の球状脱脂綿６ｂが小径部８ｂに引っ掛かるので、その押し込み棒６は挿入具本体５と一体的に肛門から離間される。【００２５】  上記構成によれば、図７（ｂ）に示すように、挿入具本体５の穿孔７に抱嵌支承させた座薬Ｍの頭部を肛門に当てがい、該挿入具本体５の長孔８を通って穿孔７内に押し込み棒６を押し込むだけで、座薬Ｍを肛門に所望通り容易に挿入することができ、しかも、肛門に指部が触れないので、衛生的である。【００２６】  また、挿入具本体５と押し込み棒６とからなり、構造が簡単で部品点数が少ないから、製作費が安くつく。【００２７】  特に、図９（ａ）に示すように、１錠ずつ密封袋Ｐに封入されている市販の座薬Ｍを挿入するのに適している。【００２８】  更に、座薬Ｍを肛門に挿入した後、挿入具本体５を肛門から離間させると、押し込み棒６の後端部側の球状脱脂綿６ｂが長孔８の小径部８ｂに引っ掛かって、その押し込み棒６も挿入具本体５と一体的に肛門から離��させることができる。【００２９】  また更に、押し込み棒６として一般的に市販されている綿棒を利用しており、その綿棒が安価で使い捨てされるものであるから、経済的であると共に、衛生的である。【００３０】  図８は本発明の実施の他の形態である座薬挿入具を示すものであって、図８（ａ）は同挿入具本体の縦断面図、図８（ｂ）はＥ−Ｅ矢視図、図８（ｃ）は同挿入具本体の斜視図である。【００３１】  図８に示すように、挿入具本体５の外周面の後端面５ｂから前端面５ａの近傍までに周方向所定間隔をおいて複数（この形態では６つ）の滑り止め用凹溝１０が形成されると共に、その挿入具本体５の外周面の各滑り止め用凹溝１０より前側に鍔部１１が残されている。上記以外の構成は図１〜図７に示す本発明の実施の一形態とほぼ同じであるから、同一部分に同一符号を付してその説明を省略する。【００３２】  上記構成によれば、挿入具本体５の外周面に形成した複数の滑り止め用凹溝１０により、該挿入具本体５を滑らないように確実に把持することができると共に、その挿入具本体５が軽量化及び減量化されているので、使いやすくて経済的である。【００３３】  また、鍔部１１を目印にして穿孔７の位置を容易に確認することができる。
【図面の簡単な説明】
【００３４】
【図１】  本発明の実施の一形態である座薬挿入具を示す分解斜視図である。
【図２】  同分解縦断面図である。
【図３】  図２のＡ−Ａ矢視図である。
【図４】  図２のＢ−Ｂ矢視図である。
【図５】  図２のＣ−Ｃ矢視図である。
【図６】  図２のＤ−Ｄ矢視図である。
【図７】  （ａ）は同座薬挿入手順の前段を説明する縦断面図、（ｂ）は同手順の後段を説明する縦断面図である。
【図８】  （ａ）は本発明の実施の他の形態である座薬挿入具の縦断面図、（ｂ）はＥ−Ｅ矢視図、（ｃ）は同挿入具本体の斜視図である。
【図９】  （ａ）は座薬密封状態説明図、（ｂ）は従来の座薬挿入手順の説明図である。
【図１０】  （ａ）は従来の座薬挿入具を示す縦断面図、（ｂ）は同座薬挿入手順の説明図である。
【符号の説明】
【００３５】５        挿入具本体
６        押し込み棒（綿棒）
６ａ      押し込み棒の棒本体
６ｂ      押し込み棒の球状脱脂綿
７        穿孔
８        長孔
８ａ      長孔の押し込み棒挿入口
８ｂ      長孔の小径部
１０      滑り止め用凹溝
Ｍ        座薬
ｄ１      小径部の口径
ｄ２      長孔の口径
ｄ３      棒本体の外径
【図１】
2010005356.tif 000003
【図２】
2010005356.tif 000004
【図３】
2010005356.tif 000005
【図４】
2010005356.tif 000006
【図５】
2010005356.tif 000007
【図６】
2010005356.tif 000008
【図７】
2010005356.tif 000009
【図８】
2010005356.tif 000010
【図９】
2010005356.tif 000011
【図１０】
2010005356.tif 000012